(57)【要約】【課題】、施工が容易となると共に耐火性能を向上させることができるトップライト構造及びトップライト施工方法を得る。【解決手段】トップライト構造１１の耐火被覆材６６は、カットルーフ梁２６、２８及びカットルーフ中間梁３６を屋内側から被覆している。下地板材４６は、ＡＬＣパネル３８の屋根開口部３８Ａに対応した位置に載置されている。また、下地板材４６には、屋根開口部３８Ａに対応した位置に厚さ方向に貫通された板体開口部４６Ａが形成されている。つまり、トップライト１８は、カットルーフ梁２６、２８及びカットルーフ中間梁３６ではなくＡＬＣパネル３８に載置される下地板材４６によって設けられており、カットルーフ梁２６、２８及びカットルーフ中間梁３６は、耐火材により構成されたＡＬＣパネル３８と、屋内側からの耐火被覆材６６と、によって囲まれる。これにより、施工が容易となると共に耐火性能を向上させることができる。【選択図】図４
2020066934.tif 000002
【特許請求の範囲】
【請求項１】
建物の躯体の一部を構成する鉄骨梁と、
前記鉄骨梁に支持されると共に、耐火材により構成され、一部に前記建物の内部と外部とを連通する屋根開口部を有する屋根面材と、
前記鉄骨梁を屋内側から被覆する耐火被覆材と、
板状に形成されかつ面直方向視にて前記屋根面材の屋根開口部より大きく形成されていると共に、前記屋根面材の屋根開口部に対応した位置に屋外側から載置され、前記屋根開口部に対応した位置に厚さ方向にて貫通されかつ窓部材が設けられる板体開口部が形成されている下地板材と、
を有するトップライト構造。
【請求項２】
前記下地板材には、前記屋根面材の屋根開口部内に納まる枠体が屋内側から取り付けられている、
請求項１記載のトップライト構造。
【請求項３】
建物の躯体の一部を構成する鉄骨梁と、
前記鉄骨梁に支持されると共に、耐火材により構成され、一部に前記建物の内部と外部とを連通する屋根開口部を有する屋根面材と、
前記鉄骨梁を屋内側から被覆する耐火被覆材と、
前記屋根面材の屋根開口部内に納まりかつ枠状に形成されると共に、窓部材が取り付けられた枠体と、
枠体取付壁部と屋根載置壁部とを含んで形成され、前記枠体取付壁部が前記枠体の外枠に取り付けられると共に、前記屋根載置壁部が少なくとも前記屋根面材における前記屋根開口部より外側の部位に屋外側から載置されかつ固定されている枠体取付ブラケットと、
を有するトップライト構造。
【請求項４】
前記枠体には、溝形鋼により構成されていると共に前記屋根面材の面直方向視にて前記屋根開口部の内側にウェブの外側面が面する開口縁部材が設けられている、
請求項２又は請求項３記載のトップライト構造。
【請求項５】
前記鉄骨梁は、ウェブの厚さ方向が略水平方向とされたＨ形鋼により構成されており、当該鉄骨梁における上フランジの上面の一部にて前記屋根面材を支持すると共に、当該上フランジの上面の残りの部分が前記耐火被覆材により覆われている、
請求項１〜請求項４のいずれか一項に記載のトップライト構造。
【請求項６】
建物の躯体の一部を構成する鉄骨梁と、
前記鉄骨梁に支持されると共に、耐火材により構成され、一部に前記建物の内部と外部とを連通する屋根開口部を有する屋根面材と、
前記鉄骨梁を屋内側から被覆する耐火被覆材と、
板状に形成されかつ面直方向視にて前記屋根面材の屋根開口部より大きく形成されていると共に、前記屋根面材の屋根開口部に対応した位置に屋外側から載置され、前記屋根開口部に対応した位置に厚さ方向にて貫通されかつ窓部材が設けられる板体開口部が形成されている下地板材と、
前記屋根面材の屋根開口部内に納まりかつ前記下地板材に屋内側から取り付けられている枠体と、
を有するトップライト構造に適用され、
予め前記下地板材と前記枠体とを結合する第１工程と、
建築地にて前記鉄骨梁に載置された前記屋根面材における前記屋根開口部内に、前記枠体を挿入する第２工程と、
前記枠体を前記屋根開口部内に挿入させることで前記屋根面材上に載置された前記下地板材における前記屋根開口部より外側の部位を前記屋根面材に固定する第３工程と、
を有するトップライト施工方法。
【請求項７】
建物の躯体の一部を構成する鉄骨梁と、
前記鉄骨梁に支持されると共に、耐火材により構成され、一部に前記建物の内部と外部とを連通する屋根開口部を有する屋根面材と、
前記鉄骨梁を屋内側から被覆する耐火被覆材と、
前記屋根面材の屋根開口部内に納まりかつ枠状に形成されると共に、窓部材が取り付けられた枠体と、
枠体取付壁部と屋根載置壁部とを含んで形成され、前記枠体取付壁部が前記枠体の外枠に取り付けられると共に、前記屋根載置壁部が少なくとも前記屋根面材における前記屋根開口部より外側の部位に屋外側から載置されかつ固定されている枠体取付ブラケットと、
を有するトップライト構造に適用され、
予め前記枠体取付ブラケットと前記枠体とを結合する第１工程と、
建築地にて前記鉄骨梁に載置された前記屋根面材における前記屋根開口部内に、前記枠体を挿入する第２工程と、
前記枠体を前記屋根開口部内に挿入させることで前記屋根面材上に載置された前記枠体取付ブラケットの屋根載置壁部における前記屋根開口部より外側に対応した部位を前記屋根面材に固定する第３工程と、
を有するトップライト施工方法。
【発明の詳細な説明】
【技術分野】
【０００１】
本発明は、トップライト構造及びトップライト施工方法に関する。
【背景技術】
【０００２】
下記特許文献１には、トップライトの構造が開示されている。このトップライトの構造では、鉄骨梁の上面に載置された溝型受部材を介してトップライトの窓枠材が取り付けられている。溝形受部材と窓枠材との間には、パッキン材が設けられていることから、トップライトを設けた際の水密性を向上させることができる。
【先行技術文献】
【特許文献】
【０００３】
【特許文献１】特開２００８−３０３６１５号公報
【発明の概要】
【発明が解決しようとする課題】
【０００４】
ところで、耐火性能を向上させるためには、鉄骨梁に耐火被覆材を巻き付けて隙間なく被覆することが望ましい。これにより、熱が鉄骨梁に伝わることによる鉄骨梁の座屈を抑制して耐火性能を向上させることができる。しかしながら、上記特許文献１に開示された構成では、鉄骨梁の上面に溝形受部材を介してトップライトの窓枠材が取り付けられていることから、鉄骨梁の上面に耐火被覆材を巻き付けることができない。このため、鉄骨梁の上面には、溝形受部材から熱が伝わって座屈する可能性がある。したがって、上記先行技術はこの点で改良の余地がある。
【０００５】
本発明は上記問題を考慮し、施工が容易となると共に耐火性能を向上させることができるトップライト構造及びトップライト施工方法を得ることを目的とする。
【課題を解決するための手段】
【０００６】
第１の態様に係るトップライト構造は、建物の躯体の一部を構成する鉄骨梁と、前記鉄骨梁に支持されると共に、耐火材により構成され、一部に前記建物の内部と外部とを連通する屋根開口部を有する屋根面材と、前記鉄骨梁を屋内側から被覆する耐火被覆材と、板状に形成されかつ面直方向視にて前記屋根面材の屋根開口部より大きく形成されていると共に、前記屋根面材の屋根開口部に対応した位置に屋外側から載置され、前記屋根開口部に対応した位置に厚さ方向にて貫通されかつ窓部材が設けられる板体開口部が形成されている下地板材と、を有している。
【０００７】
第２の態様に係るトップライト構造は、第１の態様に係る発明において、前記下地板材には、前記屋根面材の屋根開口部内に納まる枠体が屋内側から取り付けられている。
【０００８】
第３の態様に係るトップライト構造は、建物の躯体の一部を構成する鉄骨梁と、前記鉄骨梁に支持されると共に、耐火材により構成され、一部に前記建物の内部と外部とを連通する屋根開口部を有する屋根面材と、前記鉄骨梁を屋内側から被覆する耐火被覆材と、前記屋根面材の屋根開口部内に納まりかつ枠状に形成されると共に、窓部材が取り付けられた枠体と、枠体取付壁部と屋根載置壁部とを含んで形成され、前記枠体取付壁部が前記枠体の外枠に取り付けられると共に、前記屋根載置壁部が少なくとも前記屋根面材における前記屋根開口部より外側の部位に屋外側から載置されかつ固定されている枠体取付ブラケットと、を有している。
【０００９】
第４の態様に係るトップライト構造は、第２又は第３の態様に係る発明において、前記枠体には、溝形鋼により構成されていると共に前記屋根面材の面直方向視にて前記屋根開口部の内側にウェブの外側面が面する開口縁部材が設けられている。
【００１０】
第５の態様に係るトップライト施工方法は、第１〜第４のいずれか１つの態様に係る発明において、前記鉄骨梁は、ウェブの厚さ方向が略水平方向とされたＨ形鋼により構成されており、当該鉄骨梁における上フランジの上面の一部にて前記屋根面材を支持すると共に、当該上フランジの上面の残りの部分が前記耐火被覆材により覆われている。
【００１１】
第６の態様に係るトップライト施工方法は、建物の躯体の一部を構成する鉄骨梁と、前記鉄骨梁に支持されると共に、耐火材により構成され、一部に前記建物の内部と外部とを連通する屋根開口部を有する屋根面材と、前記鉄骨梁を屋内側から被覆する耐火被覆材と、板状に形成されかつ面直方向視にて前記屋根面材の屋根開口部より大きく形成されていると共に、前記屋根面材の屋根開口部に対応した位置に屋外側から載置され、前記屋根開口部に対応した位置に厚さ方向にて貫通されかつ窓部材が設けられる板体開口部が形成されている下地板材と、前記屋根面材の屋根開口部内に納まりかつ前記下地板材に屋内側から取り付けられている枠体と、を有するトップライト構造に適用され、予め前記下地板材と前記枠体とを結合する第１工程と、建築地にて前記鉄骨梁に載置された前記屋根面材における前記屋根開口部内に、前記枠体を挿入する第２工程と、前記枠体を前記屋根開口部内に挿入させることで前記屋根面材上に載置された前記下地板材における前記屋根開口部より外側の部位を前記屋根面材に固定する第３工程と、を有している。
【００１２】
第７の態様に係るトップライト施工方法は、建物の躯体の一部を構成する鉄骨梁と、前記鉄骨梁に支持されると共に、耐火材により構成され、一部に前記建物の内部と外部とを連通する屋根開口部を有する屋根面材と、前記鉄骨梁を屋内側から被覆する耐火被覆材と、前記屋根面材の屋根開口部内に納まりかつ枠状に形成されると共に、窓部材が取り付けられた枠体と、枠体取付壁部と屋根載置壁部とを含んで形成され、前記枠体取付壁部が前記枠体の外枠に取り付けられると共に、前記屋根載置壁部が少なくとも前記屋根面材における前記屋根開口部より外側の部位に屋外側から載置されかつ固定されている枠体取付ブラケットと、を有するトップライト構造に適用され、予め前記枠体取付ブラケットと前記枠体とを結合する第１工程と、建築地にて前記鉄骨梁に載置された前記屋根面材における前記屋根開口部内に、前記枠体を挿入する第２工程と、前記枠体を前記屋根開口部内に挿入させることで前記屋根面材上に載置された前記枠体取付ブラケットの屋根載置壁部における前記屋根開口部より外側に対応した部位を前記屋根面材に固定する第３工程と、を有するトップライト施工方法。
【００１３】
第１の態様によれば、トップライト構造は、鉄骨梁と、屋根面材と、耐火被覆材と、下地板材とを有している。鉄骨梁は、建物の躯体の一部を構成している。屋根面材は、耐火材により構成されていると共に鉄骨梁に支持されており、一部に建物の内部と外部とを連通する屋根開口部が設けられている。耐火被覆材は、鉄骨梁を屋内側から被覆している。下地板材は、板状に形成されかつ面直方向視にて屋根面材の屋根開口部より大きく形成されており、屋根面材の屋根開口部に対応した位置に屋外側から載置されている。また、下地板材には、屋根開口部に対応した位置に厚さ方向に貫通されかつ窓部材が取り付けられた板体開口部が形成されている。つまり、トップライトは、鉄骨梁ではなく屋根面材に載置される下地板材によって設けられており、鉄骨梁は、耐火材により構成された屋根面材と、屋内側からの耐火被覆材と、によって囲まれるため、火災時の鉄骨梁への熱の伝達を抑制することができる。
【００１４】
第２の態様によれば、下地板材の屋内側には、枠体が設けられており、この枠体は、屋根面材の屋根開口部内に納まるように構成されている。したがって、下地板材が屋根面材から突出する量を抑制しながら下地板材の曲げ剛性を向上させることができる。これにより、下地板材の変形を抑制することができる。
【００１５】
第３の態様によれば、トップライト構造は、鉄骨梁と、屋根面材と、耐火被覆材と、枠体と、枠体取付ブラケットとを有している。鉄骨梁は、建物の躯体の一部を構成している。屋根面材は、耐火材により構成されていると共に鉄骨梁に支持されており、一部に建物の内部と外部とを連通する屋根開口部が設けられている。耐火被覆材は、鉄骨梁を屋内側から被覆している。枠体は、屋根面材の屋根開口部内に納まる枠状に形成されると共に、窓部材が取り付けられている。枠体取付ブラケットは、枠体取付壁部と屋根載置壁部とを含んで形成されており、このうち枠体取付壁部は、枠体の外枠に取り付けられている。一方、屋根載置壁部は、少なくとも屋根面材における屋根開口部より外側の部位に屋外側から載置されかつ固定されている。したがって、枠体は、枠体取付ブラケットを介して屋根面材に固定されている。つまり、トップライトは、鉄骨梁ではなく屋根面材に固定された枠体によって設けられており、鉄骨梁は、耐火材により構成された屋根面材と、屋内側からの耐火被覆材と、によって囲まれるため、火災時の鉄骨梁への熱の伝達を抑制することができる。
【００１６】
第４の態様によれば、枠体には、溝形鋼により構成された開口縁部材が設けられている。この開口縁部材は、屋根面材の面直方向視にて屋根開口部の内部にウェブの外側面が面している。したがって、屋根開口部に内装材を取り付ける際に、開口縁部材のウェブを内装材の取り付けのための下地として利用することができる。つまり、トップライトの内部に別途内装材を設けるための下地材が不要となる。これにより、コストを低減することができる。
【００１７】
第５の態様によれば、鉄骨梁は、Ｈ形鋼により構成されており、このＨ形鋼のウェブの厚さ方向が略水平方向とされた向きにて配設されている。また、鉄骨梁は、上フランジの上面の一部にて屋根面材を支持すると共に、上フランジの上面の残りの部分が耐火被覆材により覆われている。したがって、屋根面材の屋根開口部の縁部を鉄骨梁により支持する場合において、屋根面材が載置されていない部位は耐火被覆材により覆われているため、火災時の鉄骨梁への熱の伝達を抑制することができる。これにより、耐火性能をより向上させることができる。
【００１８】
第６の態様によれば、第１工程では、下地板材の屋内側の面に枠体が結合されると共に、第２工程では建築地にて鉄骨梁に載置された屋根面材における屋根開口部内に枠体が挿入される。つまり、建築地にて下地板材と枠体とを結合する必要がない。また、枠体を屋根開口部内に挿入させることで、下地板材も同時に屋根面材上に載置することができる。つまり、枠体を位置決めとして下地板材を屋根面材に載置することができる。そして、第３工程にて下地板材における屋根開口部より外側の部位を屋根面材に固定する。つまり、枠体は、下地板材を介して屋根面材に固定することができる。したがって、枠体と下地板材とをそれぞれ別に固定する作業が不要となる。これにより、建築地での施工期間を短くすることができる。
【００１９】
第７の態様によれば、第１工程では、枠体に枠体取付ブラケットが結合されると共に、第２工程では、建築地にて鉄骨梁に載置された屋根面材における屋根開口部内に枠体が挿入される。したがって、枠体に取り付けられた枠体取付ブラケットの屋根載置壁部が屋根面材に載置される。そして、第３工程では、屋根面材に載置された枠体取付ブラケットの屋根載置壁部における屋根開口部より外側に対応した部位を屋根面材に固定する。つまり、建築地にて枠体と枠体取付ブラケットとを結合する必要がなく、また屋根開口部内に納められる枠体を、屋根面材の略面直方向にて枠体取付ブラケットを介して固定作業を行うことができるため、作業性を向上させることができる。これにより、建築地での施工期間を短くすることができる。
【発明の効果】
【００２０】
以上説明したように、本発明に係るトップライト構造及びトップライト施工方法は、施工が容易となると共に耐火性能を向上させることができるという優れた効果を有する。
【図面の簡単な説明】
【００２１】
【図１】第１実施形態に係るトップライト構造を有する建物を示す概略斜視図である。
【図２】図１のＡ−Ａ線に沿って切断した状態を示す断面図である。
【図３】図２のＺ部を拡大して示す拡大断面図である。
【図４】図１のＢ−Ｂ線に沿って切断した状態を示す断面図である。
【図５】第１実施形態に係るトップライト構造の要部を示す分解斜視図である。
【図６】（Ａ）は第２実施形態に係るトップライト構造の枠体及び枠体取付ブラケットを屋根面材の面直方向にて見た状態を示す平面図であり、（Ｂ）は（Ａ）のＣ−Ｃ線に沿って切断した状態を示す断面図である。
【図７】第２実施形態に係るトップライト構造の要部を示す図４に対応した断面図である。
【発明を実施するための形態】
【００２２】
（第１実施形態）
以下、図１〜図５を用いて、本発明に係るトップライト構造の一実施形態について説明する。
【００２３】
（全体構成）
図１に示されるように、トップライト構造１１を有する建物１０は、図示しない基礎上に設けられた居室部１２と、居室部１２の建物上下方向上側に設けられる屋根部１４とを有している。居室部１２は、鉄骨梁１３（図２参照）と図示しない柱とで略箱状に形成された躯体に外壁パネル１６が建物外側から取り付けられた構成とされている。以後の説明では、建物の桁方向をＸ方向、建物の妻方向をＹ方向、上下方向（高さ方向）をＺ方向と称する。Ｘ方向、Ｙ方向及びＺ方向は、互いに直交する。Ｘ方向及びＹ方向は、上下方向と交差する横方向の一例である。
【００２４】
（屋根構成）
屋根部１４は、陸屋根の一部を片流れ屋根状にした所謂カットルーフとされており、陸屋根部１５とカットルーフ部１７とを有している。カットルーフ部１７には、トップライト（天窓）１８が設けられていると共に、図２に示されるように、このカットルーフ部１７は、屋根構造フレーム２０と、屋根面部２２とを有している。
【００２５】
屋根構造フレーム２０は、鉄骨梁としてのカットルーフ桁梁２４及びカットルーフ梁２６、２８と、カットルーフ柱３０、３２（図２参照）と、カットルーフ中間梁３６と、を含んで構成されている。カットルーフ桁梁２４は、カットルーフ部１７のＺ方向上側とＺ方向下側とにそれぞれ建物１０のＸ方向に沿って延設されており、図２に示されるように、それぞれのカットルーフ桁梁２４は、Ｈ形鋼により構成されている。なお、それぞれのカットルーフ桁梁２４は、ウェブ２４Ａの厚さ方向が略水平方向となる向きにて配設されている。
【００２６】
カットルーフ部１７のＺ方向下側に設けられたカットルーフ桁梁２４は、居室部１２の鉄骨梁１３に取り付けられた建物外側のカットルーフ柱３０の上部に取り付けられている。一方、カットルーフ部１７のＺ方向上側に設けられたカットルーフ桁梁２４は、居室部１２の鉄骨梁１３に取り付けられた建物内側のカットルーフ柱３２の上部に取り付けられている。
【００２７】
図１に示されるように、カットルーフ梁２６は、複数設けられかつカットルーフ部１７のＺ方向下側に設けられたカットルーフ桁梁２４とカットルーフ部１７のＺ方向上側に設けられたカットルーフ桁梁２４とを連結するように延設されており、それぞれのカットルーフ梁２６が互いにＸ方向にて離間するように設けられている。具体的には、カットルーフ梁２６は、Ｈ形鋼により構成されており、ウェブの厚さ方向が略水平方向となる向きにて配設されていると共に、長手方向の一端部がカットルーフ部１７のＺ方向下側に設けられたカットルーフ桁梁２４に結合されかつ長手方向の他端部がカットルーフ部１７のＺ方向上側に設けられたカットルーフ桁梁２４に結合されている。つまり、カットルーフ梁２６は、建物内側へ向かうに連れてＺ方向上側へ傾けられた状態で延設されている。
【００２８】
カットルーフ梁２８は、基本的にカットルーフ梁２６と同様の構成とされており、カットルーフ部１７におけるトップライト１８に対応した位置に設けられかつ長手方向の略中間部が切り欠かれている点に特徴がある。すなわち、カットルーフ梁２８は、図２に示されるように、隣接するカットルーフ梁２６と同様に、Ｈ形鋼により構成されかつウェブ２８Ａの厚さ方向が略水平方向となる向きにて、建物内側へ向かうに連れてＺ方向上側へ傾けられた状態で延設されている。また、カットルーフ梁２８における長手方向の略中間部のトップライト１８に対応した部位は切り欠かれており、カットルーフ部１７のＺ方向下側に設けられたカットルーフ桁梁２４に結合された部位と、カットルーフ部１７のＺ方向上側に設けられたカットルーフ桁梁２４に結合された部位とに分かれた構成とされている。
【００２９】
カットルーフ梁２６、２８は、それぞれ鉄骨梁としての複数のカットルーフ中間梁３６によって互いに連結されている。このカットルーフ中間梁３６は、それぞれ建物１０のＸ方向に沿って延設されたＨ形鋼により構成されており、ウェブ３６Ａの厚さ方向がカットルーフ梁２６、２８の長手方向と略同一となる向きにて配置されている。なお、カットルーフ中間梁３６は、トップライト１８を挟んで一対設けられていると共に、上フランジ３６Ｂの上面がカットルーフ梁２６、２８の上フランジ２６Ｂ（図１参照）、２８Ｂにおける上面の略同一面上に配置されている。
【００３０】
（屋根面部）
屋根面部２２は、屋根構造フレーム２０上に設けられており、屋根面材としてのＡＬＣパネル３８と、桟木４０と、野地板４２と、屋根材４４とを有している。ＡＬＣパネル３８は、板状の軽量気泡コンクリートにより構成されている。つまり、ＡＬＣパネル３８は、耐火材により構成されている。このＡＬＣパネル３８は、屋根面部２２の全体に範囲に亘ってカットルーフ梁２６、２８及びカットルーフ中間梁３６のそれぞれの上フランジ２６Ｂ、２８Ｂ、３６Ｂの上面に載置され固定されている。なお、ＡＬＣパネル３８におけるトップライト１８に対応した部位には、板厚方向に貫通された屋根開口部３８Ａが形成されている（図５参照）。
【００３１】
桟木４０は、角柱状に形成されており、建物平面視にてＸ方向及びＹ方向に沿ってＡＬＣパネル３８の上に複数載置されかつ互いに離間して配置されている。なお、屋根面部２２におけるトップライト１８に対応した位置には、後述する下地板材４６上に載置されている（図３、図４参照）と共に、屋根開口部３８Ａに対応した部位には桟木４０が設けられない構成とされている。
【００３２】
野地板４２は、合板により構成されており、屋根面部２２の全体の範囲に亘って複数の桟木４０上に載置されている。なお、野地板４２におけるトップライト１８に対応した部位には、板厚方向に貫通された貫通孔４２Ａが形成されている（図３参照）。
【００３３】
屋根材４４は、野地板４２上に載置されている。なお、野地板４２と屋根材４４との間には、図示しないルーフィングが敷設されている。また、屋根材４４は、屋根面部２２におけるトップライト１８に対応した部位を避けて載置されている。
【００３４】
（トップライト）
図３に示されるように、トップライト１８は、下地板材４６、枠体５０、窓部材５２及び内装材５４を含んで構成されている。すなわち、図５に示されるように、下地板材４６は、一例として鋼板により構成されていると共に、板厚方向視にてＡＬＣパネル３８の屋根開口部３８Ａより大きいサイズの矩形状に形成されている。下地板材４６には、板厚方向に貫通された板体開口部４６Ａが形成されている。この板体開口部４６Ａは、屋根開口部３８Ａに対応した部位、すなわち下地板材４６の面直方向視にて屋根開口部３８Ａと重なる位置に形成されていると共に、屋根開口部３８Ａより小さい矩形状に形成されている。
【００３５】
枠体５０は、屋根開口部３８Ａより小さいサイズの矩形枠状に形成されている。具体的には、枠体５０は、外枠５０Ａと、開口縁部材としての内枠５０Ｂと、を有している。外枠５０Ａは、上外枠部材５０ＡＡ、下外枠部材５０ＡＢ、側外枠部材５０ＡＣ、５０ＡＤとで矩形枠状に形成されている。上外枠部材５０ＡＡは、Ｘ方向に延設されかつ高さ方向の寸法がＡＬＣパネル３８の厚さの半分以下に設定された（図３参照）溝形鋼により構成されており、溝部が下外枠部材５０ＡＢ側へ開口する向きにて配置されている。
【００３６】
下外枠部材５０ＡＢは、上外枠部材５０ＡＡと同様に、Ｘ方向に延設されかつ高さ方向の寸法がＡＬＣパネル３８の厚さの半分以下に設定された（図３参照）溝形鋼により構成されており、溝部が上外枠部材５０ＡＡ側へ開口する向きにて配置されている。つまり、上外枠部材５０ＡＡと下外枠部材５０ＡＢとは、対向して設けられている。
【００３７】
上外枠部材５０ＡＡの長手方向の両端部と、下外枠部材５０ＡＢの長手方向の両端部とは、それぞれ側外枠部材５０ＡＣ、５０ＡＤによってカットルーフ梁２８（図２参照）の延設方向に沿って連結されている。側外枠部材５０ＡＣ、５０ＡＤは、それぞれ高さ方向の寸法がＡＬＣパネル３８の厚さの半分以下に設定された（図４参照）溝形鋼により構成されており、溝部の開口が互いに向き合う向きにて配置されている。
【００３８】
内枠５０Ｂは、外枠５０Ａの枠内部に設けられていると共に、上内枠部材５０ＢＡ、下内枠部材５０ＢＢ、側内枠部材５０ＢＣ、５０ＢＤとで矩形枠状に形成されている。上内枠部材５０ＢＡは、Ｘ方向に延設されかつ高さ方向の寸法がＡＬＣパネル３８の厚さの半分以下に設定された（図３参照）溝形鋼により構成されており、溝部が外枠５０Ａの上外枠部材５０ＡＡ側へ開口する向きにて配置されている。つまり、上内枠部材５０ＢＡは、上内枠部材５０ＢＡのウェブ５０ＢＥの外側面が、ＡＬＣパネル３８の面直方向視にて屋根開口部３８Ａの内側に面した向きに配置されている。なお、上内枠部材５０ＢＡの長手方向の両端部は、それぞれ外枠５０Ａの側外枠部材５０ＡＣ、５０ＡＤの溝部内に挿入されかつ接合されている。
【００３９】
下内枠部材５０ＢＢは、上内枠部材５０ＢＡと同様に、Ｘ方向に延設されかつ高さ方向の寸法がＡＬＣパネル３８の厚さの半分以下に設定された（図３参照）溝形鋼により構成されており、溝部が上内枠部材５０ＢＡと反対側へ開口する向きにて配置されている。つまり、下内枠部材５０ＢＢは、下内枠部材５０ＢＢのウェブ５０ＢＦ（図３参照）の外側面が、ＡＬＣパネル３８の面直方向視にて屋根開口部３８Ａの内側に面した向きに配置されている。なお、下内枠部材５０ＢＢの長手方向の両端部は、それぞれ外枠５０Ａの側外枠部材５０ＡＣ、５０ＡＤの溝部内に挿入されかつ接合されている。
【００４０】
上内枠部材５０ＢＡの長手方向の両端部における外枠５０Ａの側外枠部材５０ＡＣ、５０ＡＤより内側の部位と、下内枠部材５０ＢＢの長手方向の両端部における外枠５０Ａの側外枠部材５０ＡＣ、５０ＡＤより内側の部位とは、それぞれ側内枠部材５０ＢＣ、５０ＢＤによって連結されている。側内枠部材５０ＢＣ、５０ＢＤは、それぞれ高さ方向の寸法がＡＬＣパネル３８の厚さの半分以下に設定された（図４参照）溝形鋼により構成されており、側内枠部材５０ＢＣは、溝部の開口が外枠５０Ａの側外枠部材５０ＡＣ側に向き合う向きにて配置されている。また、側内枠部材５０ＢＤは、溝部の開口が外枠５０Ａの側外枠部材５０ＡＤ側に向き合う向きにて配置されている。つまり、側内枠部材５０ＢＣ、５０ＢＤは、側内枠部材５０ＢＣ、５０ＢＤのウェブ５０ＢＧ、５０ＢＨ（図４参照）の外側面が、ＡＬＣパネル３８の面直方向視にて屋根開口部３８Ａの内側に面した向きに配置されている。
【００４１】
以上の構成により、外枠５０Ａと内枠５０Ｂとは、一体的に構成されており、この枠体５０は、下地板材４６の屋内側面に溶接されている。枠体５０と一体とされた下地板材４６は、屋根開口部３８Ａ内に枠体５０が挿入された状態でＡＬＣパネル３８上に屋外側から載置されると共に、下地板材４６における屋根開口部３８Ａより外側の部位に形成された複数の貫通孔４６Ｂと、この貫通孔４６Ｂに対応してＡＬＣパネル３８に形成された締結孔３８Ｂとに図示しない締結具を挿通して締結することで、下地板材４６及び枠体５０はＡＬＣパネル３８に固定されている。
【００４２】
図３に示されるように、窓部材５２は、下地板材４６の板体開口部４６Ａに対応した位置に設けられている。この窓部材５２は、ガラス５８と、窓枠部６０と、窓枠取付部６２とを有しており、窓枠取付部６２が屋根材４４と野地板４２との間に設けられかつ野地板４２及び桟木４０を介して下地板材４６と枠体５０とに図示しない締結具により締結されることで、屋根面部２２に固定されている。
【００４３】
内装材５４は、窓部材５２の窓枠部６０から屋内側の天井材６４の端部へ向けて延設された板材により構成されており、枠体５０の内枠５０Ｂのウェブ５０ＢＥ、５０ＢＦ、５０ＢＧ、５０ＢＨにそれぞれ当接されたスペーサ５５を介して固定されている。この内装材５４は、板体開口部４６Ａ内の全周に亘って設けられており、これによってカットルーフ梁２８や枠体５０等が屋内外から直接目視できないようにされている。
【００４４】
（耐火被覆材）
図４に示されるように、カットルーフ梁２８には、耐火被覆材６６が屋内側から被覆されている。この耐火被覆材６６は、一例として、耐熱ロックウールを含んで構成されている。ここで、カットルーフ梁２８は、上フランジ２８Ｂの上面の一部（本実施形態では上フランジ２８Ｂの上面の幅略中央からトップライト１８と離間する方向の端部２８ＢＡまでの範囲）にてＡＬＣパネル３８を支持していると共に、上フランジ２８Ｂの上面の残りの部分（本実施形態では上フランジ２８Ｂの上面の幅略中央からトップライト１８と近接する方向の端部２８ＢＢの範囲）がＡＬＣパネル３８の屋根開口部３８Ａより内側に位置している。そして、耐火被覆材６６は、Ｘ方向の一端部６６ＡがＡＬＣパネル３８の屋内側面に取り付けられていると共に、Ｘ方向の他端部６６Ｂがカットルーフ梁２８の上フランジ２８Ｂの上面の残りの部分に取り付けられている。なお、一端部６６Ａは、図示しないビスによりＡＬＣパネル３８に隙間なく取り付けられており、他端部６６Ｂは、ＡＬＣパネル３８の屋根開口部３８Ａの端面３８Ｃに隙間なく押し付けられた状態にて図示しない溶接ピンによりカットルーフ梁２８にスタッド溶接される。
【００４５】
なお、図示しないが、耐火被覆材６６は、図１に示されるように、カットルーフ中間梁３６やカットルーフ梁２６にもそれぞれ屋内側から被覆するように設けられている。カットルーフ梁２６の場合、トップライト１８に対応した位置に設けられていないため、上フランジ２６Ｂ全体にてＡＬＣパネル３８を支持している。この場合、耐火被覆材６６は、Ｘ方向の一端部６６Ａと他端部６６Ｂとの両方がＡＬＣパネル３８の屋内側面に取り付けられている。
【００４６】
次に、上述したトップライト１８の施工方法について説明する。
【００４７】
図５に示されるように、下地板材４６は、予め工場にて枠体５０と溶接により結合される。この下地板材４６の屋内側面に枠体５０が結合された状態で、工場から出荷される。なお、この工程が請求項１に記載の「第１工程」に相当する。
【００４８】
次に、建物１０（図１参照）の建築地にて建設されるカットルーフ梁２６、２８、カットルーフ中間梁３６等により構成された屋根構造フレーム２０上にＡＬＣパネル３８が載置されかつ固定される。このＡＬＣパネル３８には、予め屋根開口部３８Ａが形成されており、この屋根開口部３８Ａ内に第１工程にて下地板材４６に結合された枠体５０を挿入するように屋外側から下地板材４６をＡＬＣパネル３８上に載置する。なお、この工程が請求項１に記載の「第２工程」に相当する。
【００４９】
次に、ＡＬＣパネル３８上に載置された下地板材４６における屋根開口部３８Ａより外側の部位を、締結具４５（図３参照）によりＡＬＣパネル３８に固定する。これにより、トップライト１８をＡＬＣパネル３８に支持された下地板材４６および枠体５０によって設けることができる。なお、この工程が請求項１に記載の「第３工程」に相当する。
【００５０】
（第１実施形態の作用・効果）
次に、本実施形態の作用並びに効果を説明する。
【００５１】
本実施形態によれば、図１に示されるように、トップライト構造１１は、カットルーフ梁２６、２８及びカットルーフ中間梁３６と、ＡＬＣパネル３８と、耐火被覆材６６と、下地板材４６とを有している。カットルーフ梁２６、２８及びカットルーフ中間梁３６は、建物１０の躯体の一部を構成している。ＡＬＣパネル３８は、耐火材により構成されていると共にカットルーフ梁２６、２８及びカットルーフ中間梁３６に支持されており、図３に示されるように、一部に建物１０の内部と外部とを連通する屋根開口部３８Ａが設けられている。耐火被覆材６６は、図４に示されるように、カットルーフ梁２６、２８及びカットルーフ中間梁３６を屋内側から被覆している。下地板材４６は、板状に形成されかつ面直方向視にてＡＬＣパネル３８の屋根開口部３８Ａより大きく形成されており、ＡＬＣパネル３８の屋根開口部３８Ａに対応した位置に屋外側から載置されている。また、下地板材４６には、屋根開口部３８Ａに対応した位置に厚さ方向に貫通されかつ窓部材５２が取り付けられた板体開口部４６Ａが形成されている。つまり、トップライト１８は、カットルーフ梁２６、２８及びカットルーフ中間梁３６ではなくＡＬＣパネル３８に載置される下地板材４６によって設けられており、カットルーフ梁２６、２８及びカットルーフ中間梁３６は、耐火材により構成されたＡＬＣパネル３８と、屋内側からの耐火被覆材６６と、によって囲まれるため、火災時のカットルーフ梁２６、２８及びカットルーフ中間梁３６への熱の伝達を抑制することができる。これにより、施工が容易となると共に耐火性能を向上させることができる。
【００５２】
また、下地板材４６の屋内側には、枠体５０が設けられており、この枠体５０は、ＡＬＣパネル３８の屋根開口部３８Ａ内に納まるように構成されている。したがって、下地板材４６がＡＬＣパネル３８から突出する量を抑制しながら下地板材４６の曲げ剛性を向上させることができる。これにより、下地板材４６の変形を抑制することができる。
【００５３】
さらに、枠体５０には、溝形鋼により構成された内枠５０Ｂが設けられている。この内枠５０Ｂは、下地板材４６の板体開口部４６Ａの外縁に対応した位置に延設されかつＡＬＣパネル３８の面直方向視にて板体開口部４６Ａの内部にウェブ５０ＢＥ、５０ＢＦ、５０ＢＧ、５０ＢＨのそれぞれの外側面が面している。したがって、下地板材４６の板体開口部４６Ａに取り付けられた窓部材５２に対応して内装材５４を取り付ける際に、内枠５０Ｂのウェブ５０ＢＥ、５０ＢＦ、５０ＢＧ、５０ＢＨを内装材５４の取り付けのための下地として利用することができる。つまり、トップライト１８の内部に別途内装材５４を設けるための下地材が不要となる。これにより、コストを低減することができる。
【００５４】
さらにまた、カットルーフ梁２６、２８及びカットルーフ中間梁３６は、Ｈ形鋼により構成されており、このＨ形鋼のウェブ２８Ａ、３６Ａ等（カットルーフ梁２６のウェブは不図示）の厚さ方向が略水平方向とされた向きにて配設されている。また、カットルーフ梁２６、２８及びカットルーフ中間梁３６は、上フランジ２６Ｂ、２８Ｂ、３６Ｂの上面の一部にてＡＬＣパネル３８を支持すると共に、上フランジ２６Ｂ、２８Ｂ、３６Ｂの上面の残りの部分が耐火被覆材により覆われている。したがって、ＡＬＣパネル３８の屋根開口部３８Ａの縁部をカットルーフ梁２６、２８及びカットルーフ中間梁３６により支持する場合において、ＡＬＣパネル３８が載置されていない部位は耐火被覆材により覆われているため、火災時のカットルーフ梁２６、２８及びカットルーフ中間梁３６への熱の伝達を抑制することができる。これにより、耐火性能をより向上させることができる。
【００５５】
また、本実施形態のトップライト施工方法における第１工程では、下地板材４６の屋内側の面に枠体５０が結合されると共に、第２工程では建築地にてカットルーフ梁２６、２８及びカットルーフ中間梁３６に載置されたＡＬＣパネル３８における屋根開口部３８Ａ内に枠体５０が挿入される。つまり、建築地にて下地板材４６と枠体５０とを結合する必要がない。また、枠体５０を屋根開口部３８Ａ内に挿入させることで、下地板材４６も同時にＡＬＣパネル３８上に載置することができる。つまり、枠体５０を位置決めとして下地板材４６をＡＬＣパネル３８に載置することができる。そして、第３工程にて下地板材４６における屋根開口部３８Ａより外側の部位をＡＬＣパネル３８に固定する。つまり、枠体５０は、下地板材４６を介してＡＬＣパネル３８に固定することができる。したがって、枠体５０と下地板材４６とをそれぞれ別に固定する作業が不要となる。これにより、建築地での施工期間を短くすることができる。
【００５６】
さらに、トップライト１８は、カットルーフ梁２６、２８及びカットルーフ中間梁３６ではなくＡＬＣパネル３８に載置される下地板材４６によって設けられていることから、下地板材４６のＡＬＣパネル３８に対する載置位置を変更することでトップライト１８の位置の調整や変更を行うことができる。つまり、トップライト１８の位置の調整や変更が容易となる。
【００５７】
さらにまた、カットルーフ梁２６、２８及びカットルーフ中間梁３６を耐火被覆材６６で覆う部位と、窓部材５２が設けられる下地板材４６及び枠体５０等は、それぞれ別の納まりの領域に分けられるため、それぞれの領域で求められる性能（耐火性能や水密性能等）を満たすための構成をとり易くなり、品質を向上させることができる。
【００５８】
なお、本実施形態では、下地板材４６に枠体５０が結合された構成とされているが、これに限らず、下地板材４６の板体開口部４６Ａを形成する際に不要となる部位を折り曲げて枠状に形成することで下地板材４６と枠体５０とを一体に構成してもよい。
【００５９】
（第２実施形態）
次に、図６、図７を用いて、本発明の第２実施形態に係るトップライト構造について説明する。なお、前述した第１実施形態等と同一構成部分については、同一番号を付してその説明を省略する。
【００６０】
この第２実施形態に係るトップライト構造８０は、基本的な構成は第１実施形態と同様とされ、トップライト８２の枠体５０が枠体取付ブラケット８４を介してＡＬＣパネル３８に固定されている点に特徴がある。
【００６１】
すなわち、図６（Ａ）に示されるように、枠体５０には、複数の枠体取付ブラケット８４が取り付けられている。この枠体取付ブラケット８４は、鋼板製とされた枠体取付壁部８４Ａ（図６（Ｂ）参照）と、鋼板製とされた屋根載置壁部８４Ｂとで断面がＬ字状に形成されている。
【００６２】
枠体取付壁部８４Ａは、板厚方向が枠体５０の外枠５０Ａにおけるウェブ２４Ａの板厚方向と同一とされており、この外枠５０Ａのウェブ２４Ａの外側面に図示しない締結具を介して結合されている。
【００６３】
屋根載置壁部８４Ｂは、板厚方向が枠体５０の外枠５０Ａの上フランジ５０Ｆの板厚方向と同一とされており、屋根載置壁部８４Ｂの上面が外枠５０Ａの上フランジ５０Ｆの上面と同一面上に位置している（図６（Ｂ）参照）。以上の構成の枠体取付ブラケット８４は、枠体５０の外枠５０Ａにおける上外枠部材５０ＡＡ、下外枠部材５０ＡＢ、側外枠部材５０ＡＣ、５０ＡＤの長手方向両端部のウェブ外側面にそれぞれ取り付けられている。つまり、枠体５０の各辺に２つずつ設けられている。
【００６４】
図７に示されるように、屋根開口部３８Ａ内に枠体５０が挿入された状態では、ＡＬＣパネル３８上に枠体取付ブラケット８４の屋根載置壁部８４Ｂが載置されると共に、屋根載置壁部８４Ｂにおける屋根開口部３８Ａより外側の部位に形成された図示しない複数の貫通孔と、この貫通孔に対応してＡＬＣパネル３８に形成された締結孔３８Ｂ（図５参照）とに締結具４５を挿通して締結することで、枠体５０は枠体取付ブラケット８４を介してＡＬＣパネル３８に固定されている。
【００６５】
次に、上述したトップライト８２の施工方法について説明する。
【００６６】
図６に示される枠体５０は、予め工場にて複数の枠体取付ブラケット８４と結合される。この枠体５０に枠体取付ブラケット８４が結合された状態で、工場から出荷される。なお、この工程が請求項７に記載の「第１工程」に相当する。
【００６７】
次に、建物１０の建築地にて建設されるカットルーフ梁２６、２８、カットルーフ中間梁３６等により構成された屋根構造フレーム２０上にＡＬＣパネル３８が載置されかつ固定される（図１参照）。ＡＬＣパネル３８には、図７に示されるように、予め屋根開口部３８Ａが形成されており、この屋根開口部３８Ａ内に枠体５０を挿入するように屋外側から枠体取付ブラケット８４の屋根載置壁部８４ＢをＡＬＣパネル３８上に載置する。なお、この工程が請求項７に記載の「第２工程」に相当する。
【００６８】
次に、ＡＬＣパネル３８上に載置された枠体取付ブラケット８４の屋根載置壁部８４Ｂの屋根開口部３８Ａより外側の部位を、締結具４５によりＡＬＣパネル３８に固定する。これにより、ＡＬＣパネル３８に支持された枠体５０に窓部材５２を取り付けることで、トップライト８２を設けることができる。なお、この工程が請求項７に記載の「第３工程」に相当する。
【００６９】
（第２実施形態の作用・効果）
次に、第２実施形態の作用並びに効果を説明する。
【００７０】
上記構成によっても、トップライト８２の枠体５０が枠体取付ブラケット８４を介してＡＬＣパネル３８に固定されている点以外は第１実施形態のトップライト構造１１と同様に構成されているので、第１実施形態と同様の効果が得られる。また、トップライト構造８０は、カットルーフ梁２６、２８及びカットルーフ中間梁３６と、ＡＬＣパネル３８と、耐火被覆材６６と、枠体５０と、枠体取付ブラケット８４とを有している。カットルーフ梁２６、２８及びカットルーフ中間梁３６は、建物１０の躯体の一部を構成している。ＡＬＣパネル３８は、耐火材により構成されていると共にカットルーフ梁２６、２８及びカットルーフ中間梁３６に支持されており、一部に建物１０の内部と外部とを連通する屋根開口部３８Ａが設けられている。耐火被覆材６６は、カットルーフ梁２６、２８及びカットルーフ中間梁３６を屋内側から被覆している。枠体５０は、ＡＬＣパネル３８の屋根開口部３８Ａ内に納まる枠状に形成されると共に、窓部材５２が取り付けられている。枠体取付ブラケット８４は、枠体取付壁部８４Ａと屋根載置壁部８４Ｂとで断面がＬ字状に形成されており、このうち枠体取付壁部８４Ａは、枠体５０の外枠５０Ａに取り付けられている。一方、屋根載置壁部８４Ｂは、ＡＬＣパネル３８における屋根開口部３８Ａより外側の部位に屋外側から載置されかつ固定されている。したがって、枠体５０は、枠体取付ブラケット８４を介してＡＬＣパネル３８に固定されている。つまり、トップライト１８は、カットルーフ梁２６、２８及びカットルーフ中間梁３６ではなくＡＬＣパネル３８に固定された枠体５０によって設けられており、カットルーフ梁２６、２８及びカットルーフ中間梁３６は、耐火材により構成されたＡＬＣパネル３８と、屋内側からの耐火被覆材６６と、によって囲まれるため、火災時のカットルーフ梁２６、２８及びカットルーフ中間梁３６への熱の伝達を抑制することができる。これにより、施工が容易となると共に耐火性能を向上させることができる。
【００７１】
また、枠体５０をＡＬＣパネル３８に固定する枠体取付ブラケット８４は、枠体５０の各辺に２つずつ設けられている。つまり、枠体５０の全周に亘って設けられる第１実施形態の下地板材４６と比べて、重量及びコストを抑えることができる。
【００７２】
なお、上述した枠体取付ブラケット８４は、枠体取付壁部８４Ａと屋根載置壁部８４Ｂとで断面がＬ字状に形成されているが、これに限らず、屋根載置壁部８４ＢがＡＬＣパネル３８の上面から枠体５０の上面に亘って設けられることで、枠体取付ブラケットの断面形状が略Ｔ字状に形成されてもよいし、それ以外の形状に形成されてもよい。
【００７３】
また、内枠５０Ｂは、矩形枠状に形成されているが、これに限らず、一対のＨ形鋼を外枠５０Ａに結合することでいわば梯子状に形成してもよい。
【００７４】
さらに、枠体５０は、外枠５０Ａが溝形鋼により構成されているが、これに限らず、アングル材やその他の長尺状部材により構成されてもよい。
【００７５】
以上、本発明の実施形態について説明したが、本発明は、上記に限定されるものでなく、その主旨を逸脱しない範囲内において上記以外にも種々変形して実施することが可能であることは勿論である。
【符号の説明】
【００７６】
１１   トップライト構造
２６   カットルーフ梁（鉄骨梁）
２６Ｂ 上フランジ
２８   カットルーフ梁（鉄骨梁）
２８Ａ ウェブ
２８Ｂ 上フランジ
３６   カットルーフ中間梁（鉄骨梁）
３６Ａ ウェブ
３６Ｂ 上フランジ
３８   ＡＬＣパネル（屋根面材）
３８Ａ 屋根開口部
４６   下地板材
４６Ａ 板体開口部
５０   枠体
５０Ａ 外枠
５０Ｂ 内枠
５０ＢＥ      ウェブ
５０ＢＦ      ウェブ
５０ＢＧ      ウェブ
５０ＢＨ      ウェブ
５２   窓部材
６６   耐火被覆材
８０   トップライト構造
８４   枠体取付ブラケット
８４Ａ 枠体取付壁部
８４Ｂ 屋根載置壁部
【図１】
2020066934.tif 000003
【図２】
2020066934.tif 000004
【図３】
2020066934.tif 000005
【図４】
2020066934.tif 000006
【図５】
2020066934.tif 000007
【図６】
2020066934.tif 000008
【図７】
2020066934.tif 000009